(57)【特許請求の範囲】
【請求項１】
ユーザ装置（ＵＥ）による無線通信のための方法であって、
１つ以上の近隣セルにおいて干渉する可能性がある信号を送信するために使用される１つ以上のタイプの通信サービスに関するシステムパラメータに関する情報を決定することと、ここにおいて、前記決定される情報のタイプは、前記通信サービスの前記タイプに依存する、
前記決定された情報に基づいて前記１つ以上の近隣セルからの干渉信号を検出することと、
前記ＵＥへの前記検出された干渉信号によって引き起こされた干渉を除去又は抑圧するために、前記決定された情報を用いて干渉管理を行うことと、ここにおいて、前記干渉管理は、前記通信サービスのうちの少なくとも２つに関して異なった形で行われる、
を備える、方法。
【請求項２】
前記決定された情報を用いて干渉管理を行うことは、
前記検出された干渉信号に基づいてサービスを提供する基地局からの送信を処理すること、
を備える、請求項１に記載の方法。
【請求項３】
前記１つ以上のタイプの通信サービスは、ユニキャスト送信、ブロードキャスト送信、マルチキャスト送信、マシンタイプ通信（ＭＴＣ）送信、又はポジショニング基準信号（ＰＲＳ）送信のうちの少なくとも２つを備える、請求項１に記載の方法。
【請求項４】
前記１つ以上のタイプの通信サービスは、低レートデバイスと通信するためのマシンタイプ通信（ＭＴＣ）サービス及び拡大されたカバレッジのデバイスと通信するためのＭＴＣサービスのうちの少なくとも１つを備える、請求項１に記載の方法。
【請求項５】
前記決定することは、
ＭＴＣ動作が１つ以上の近隣セルによってサポートされるかどうか、
ＭＴＣ動作の帯域幅、
ＭＴＣ動作のために使用される周波数リソースの場所、
ＭＴＣ送信のために使用されるサブフレーム、
ＭＴＣ送信の周期性、又は
１つ以上のタイプのＭＴＣ送信に関するバンドリングレベル、
のうちの少なくとも１つを示すシグナリングを受信することを備える、請求項４に記載の方法。
【請求項６】
干渉管理が行われるべきでない１つ以上のサブフレームの表示を受信することをさらに備える、請求項４に記載の方法。
【請求項７】
干渉管理を行うことは、
干渉するＭＴＣ送信のブラインド検出を行うことと、
前記検出された干渉送信に基づいて、前記サービスを提供する基地局からの送信を処理することと、
を備える、請求項４に記載の方法。
【請求項８】
前記１つ以上のタイプの通信サービスは、マルチメディアブロードキャスト単一周波数ネットワーク（ＭＢＳＦＮ）サービスを備える、請求項１に記載の方法。
【請求項９】
前記決定することは、
１つ以上の近隣セルに関するＭＢＳＦＮサブフレーム構成のシグナリングを受信すること、又は
ＭＢＳＦＮサブフレームに関する復調基準信号（ＤＭＲＳ）に基づくユニキャスト送信に対するマルチメディアブロードキャスト及びマルチキャストサービス（ＭＢＭＳ）関連の構成のシグナリングを受信すること、
のうちの少なくとも１つを備える、請求項８に記載の方法。
【請求項１０】
前記１つ以上のタイプの通信サービスは、ポジショニング基準信号（ＰＲＳ）を用いたポジショニングサービスを備える、請求項１に記載の方法。
【請求項１１】
前記決定することは、
１つ以上の近隣セルに関するＰＲＳ構成のシグナリングを受信すること
を備える、請求項１０に記載の方法。
【請求項１２】
干渉管理を行うことは、
ＰＲＳ送信のブラインド検出を行うことと、
前記検出された干渉送信に基づいて、サービスを提供する基地局からの送信を処理することと、
を備える、請求項１０に記載の方法。
【請求項１３】
前記決定することは、
干渉管理が適用されるべきでない副帯域又はサブフレーム部分組のうちの少なくとも１つを示すシグナリングを受信すること
を備える、請求項１に記載の方法。
【請求項１４】
前記シグナリングすることは、ブロードキャストシグナリング、マルチキャストシグナリング、無線リソース制御（ＲＲＣ）シグナリング、又は動的シグナリングのうちの少なくとも１つを備える、請求項１３に記載の方法。
【請求項１５】
検出された信号、前記ＵＥによって除去された信号、又は既知の信号を検出するために前記ＵＥによって使用される１つ以上の仮説、のうちの少なくとも１つを含む前記ＵＥの干渉除去能力をシグナリングすること
をさらに備える、請求項１に記載の方法。
【請求項１６】
基地局（ＢＳ）による無線通信のための方法であって、
１つ以上の近隣セルにおいて干渉する可能性がある信号を送信するために使用される１つ以上のタイプの通信サービスに関するシステムパラメータに関する情報を決定することと、ここにおいて、前記決定される情報のタイプは、前記通信サービスの前記タイプに依存する、
１つ以上のユーザ装置（ＵＥ）が、前記１つ以上のＵＥへの前記干渉する可能性がある信号によって引き起こされた干渉を除去又は抑圧するために、前記決定された情報を用いて干渉管理を行うのを補助するために、前記１つ以上のＵＥにシグナリングを送信することと、ここにおいて、前記干渉管理は、前記通信サービスのうちの少なくとも２つに関して異なった形で行われる、
を備える、方法。
【請求項１７】
前記１つ以上のタイプの通信サービスは、ユニキャスト送信、ブロードキャスト送信、マルチキャスト送信、マシンタイプ通信（ＭＴＣ）送信、又はポジショニング基準信号（ＰＲＳ）送信のうちの少なくとも２つを備える、請求項１６に記載の方法。
【請求項１８】
前記１つ以上のタイプの通信サービスは、低レートデバイスと通信するためのマシンタイプ通信（ＭＴＣ）サービス及び拡大されたカバレッジのデバイスと通信するためのＭＴＣサービスのうちの少なくとも１つを備える、請求項１６に記載の方法。
【請求項１９】
前記送信することは、
ＭＴＣ動作が１つ以上の近隣セルによってサポートされるかどうか、
ＭＴＣ動作の帯域幅、
ＭＴＣ動作のために使用される周波数リソースの場所、
ＭＴＣ送信のために使用されるサブフレーム、
ＭＴＣ送信の周期性、又は
１つ以上のタイプのＭＴＣ送信に関するバンドリングレベル、
のうちの少なくとも１つを示すシグナリングを送信することを備える、請求項１８に記載の方法。
【請求項２０】
干渉管理が行われるべきでない１つ以上のサブフレームの表示を送信することをさらに備える、請求項１８に記載の方法。
【請求項２１】
前記１つ以上のタイプの通信サービスは、マルチメディアブロードキャスト単一周波数ネットワーク（ＭＢＳＦＮ）サービスを備える、請求項１６に記載の方法。
【請求項２２】
前記送信することは、
１つ以上の近隣セルに関するＭＢＳＦＮサブフレーム構成のシグナリングを送信すること、又は
ＭＢＳＦＮサブフレームに関する復調基準信号（ＤＭＲＳ）に基づくユニキャスト送信に対するマルチメディアブロードキャスト及びマルチキャストサービス（ＭＢＭＳ）関連の構成のシグナリングを送信すること、
のうちの少なくとも１つを備える、請求項２１に記載の方法。
【請求項２３】
前記１つ以上のタイプの通信サービスは、ポジショニング基準信号（ＰＲＳ）を用いたポジショニングサービスを備える、請求項１６に記載の方法。
【請求項２４】
前記送信することは、
干渉管理が適用されるべきでない副帯域又はサブフレーム部分組のうちの少なくとも１つを示すシグナリングを送信すること
を備える、請求項１６に記載の方法。
【請求項２５】
前記シグナリングすることは、ブロードキャストシグナリング、マルチキャストシグナリング、無線リソース制御（ＲＲＣ）シグナリング、又は動的シグナリングのうちの少なくとも１つを備える、請求項２４に記載の方法。
【請求項２６】
ＭＴＣ構成、ポジショニング基準信号（ＰＲＳ）構成、マルチメディアブロードキャスト単一周波数ネットワーク（ＭＢＳＦＮ）構成、又は時分割複信（ＴＤＤ）サブフレーム構成のうちの少なくとも１つを含むシグナリングを前記１つ以上の近隣セルとやり取りすること
をさらに備える、請求項１６に記載の方法。
【請求項２７】
１つ以上の近隣セルにおいて干渉する可能性がある信号を送信するために使用される１つ以上のタイプの通信サービスに関するシステムパラメータに関する情報を決定することは、
前記１つ以上のＵＥのうちの１つのＵＥから干渉除去能力を受信すること、ここにおいて、前記干渉除去能力は、前記ＵＥによって検出された信号、前記ＵＥによって除去された信号、又は既知の信号を検出するために前記ＵＥによって使用される１つ以上の仮説、のうちの少なくとも１つを含む、
を備える、請求項１６に記載の方法。
【請求項２８】
前記受信された干渉除去能力に基づいて前記ＵＥをスケジューリングすること
をさらに備える、請求項２７に記載の方法。
【請求項２９】
ユーザ装置（ＵＥ）による無線通信のための装置であって、
１つ以上の近隣セルにおいて干渉する可能性がある信号を送信するために使用される１つ以上のタイプの通信サービスに関するシステムパラメータに関する情報を決定するための手段と、ここにおいて、前記決定される情報のタイプは、前記通信サービスの前記タイプに依存する、
前記決定された情報に基づいて前記１つ以上の近隣セルからの干渉信号を検出するための手段と、
前記ＵＥへの前記検出された干渉信号によって引き起こされた干渉を除去又は抑圧するために、前記決定された情報を用いて干渉管理を行うための手段と、ここにおいて、前記干渉管理は、前記通信サービスのうちの少なくとも２つに関して異なった形で行われる、
を備える、装置。
【請求項３０】
無線通信のための装置であって、
１つ以上の近隣セルにおいて干渉する可能性がある信号を送信するために使用される１つ以上のタイプの通信サービスに関するシステムパラメータに関する情報を決定するための手段と、ここにおいて、前記決定される情報のタイプは、前記通信サービスの前記タイプに依存する、
１つ以上のユーザ装置（ＵＥ）が、前記１つ以上のＵＥへの前記干渉する可能性がある信号によって引き起こされた干渉を除去又は抑圧するために、前記決定された情報を用いて干渉管理を行うのを補助するために、前記１つ以上のＵＥにシグナリングを送信するための手段と、ここにおいて、前記干渉管理は、前記通信サービスのうちの少なくとも２つに関して異なった形で行われる、
を備える、装置。
【発明の詳細な説明】
【技術分野】
【０００１】
関連出願の相互参照
［０００１］本出願は、ここにおける引用によってそれ全体が明示で組み入れられている米国仮特許出願一連番号第６１／８０８，３１６号（出願日：２０１３年４月４日）に対する優先権の利益を主張する。
【０００２】
［０００２］本開示は、概して、無線通信に関するものであり、より具体的には、１つ以上のタイプの通信サービスによって送信された干渉する可能性がある信号によって引き起こされた干渉を除去又は抑圧するための干渉管理を行う方法及び装置に関するものである。
【背景技術】
【０００３】
［０００３］様々な電気通信サービス、例えば、テレフォニー、映像、データ、メッセージング、ブロードキャスト、を提供することを目的として無線通信システムが広範囲にわたって配備されている。典型的な無線通信システムは、利用可能なシステムリソース（例えば、帯域幅、送信電力）を共有することによって複数のユーザとの通信をサポートすることが可能な多元接続技術を採用することができる。該多元接続技術の例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、単一搬送波周波数分割多元接続（ＳＣ−ＦＤＭＡ）システムと、時分割同期符号分割多元接続（ＴＤ−ＳＣＤＭＡ）と、を含む。
【０００４】
［０００４］これらの多元接続技術は、複数の異なる無線デバイスが市町村レベル、国内レベル、地域レベル、さらにはグローバルレベルで通信するのを可能にする共通のプロトコルを提供することを目的として様々な電気通信規格において採用されている。現在出現中の電気通信規格の一例は、ロングタームエボリューション（Ｌｏｎｇ  Ｔｅｒｍ  Ｅｖｏｌｕｔｉｏｎ）（ＬＴＥ）である。ＬＴＥ／ＬＴＥ−Ａｄｖａｎｃｅｄは、第三世代パートナーシッププロジェクト（３ＧＰＰ）によって公布されたユニバーサル移動電気通信システム（ＵＭＴＳ）モバイル規格の一組の拡張である。それは、スペクトル効率を向上させることによってモバイルブロードバンドインターネットアクセスをより良くサポートし、コストを削減し、サービスを向上させ、新しいスペクトルを利用し、ダウンリンク（ＤＬ）でのＯＦＤＭＡ、アップリンク（ＵＬ）でのＳＣ−ＦＤＭＡ、及び多入力多出力（ＭＩＭＯ）アンテナ技術を使用するその他のオープン規格とより良く統合するように設計されている。しかしながら、モバイルブロードバンドアクセスを求める要求が増大し続けているのに応じて、ＬＴＥ技術のさらなる向上の必要性が存在する。好ましくは、これらの向上は、その他の多元接続技術及びこれらの技術を採用する電気通信規格に対して適用可能であるべきである。
【発明の概要】
【０００５】
［０００５］本開示の幾つかの態様は、ユーザ装置（ＵＥ）による無線通信のための方法を提供する。その方法は、概して、１つ以上の近隣セルにおいて干渉する可能性がある信号を送信するために使用される１つ以上のタイプの通信サービスに関するシステムパラメータに関する情報を決定することであって、決定される情報のタイプは、通信サービスのタイプに依存することと、干渉する可能性がある信号によって引き起こされた干渉を除去又は抑圧するために決定された情報を用いて干渉管理を行うことと、を含む。
【０００６】
［０００６］本開示の幾つかの態様は、ｅＮＢによる無線通信のための方法を提供する。その方法は、概して、１つ以上の近隣セルにおいて干渉する可能性がある信号を送信するために使用される１つ以上のタイプの通信サービスに関するシステムパラメータに関する情報を決定することであって、決定される情報のタイプは、通信サービスのタイプに依存することと、干渉する可能性がある信号によって引き起こされた干渉を除去又は抑圧するために決定された情報を用いて干渉管理を行うのを補助するために１つ以上のユーザ装置（ＵＥ）にシグナリングを送信することと、を含む。
【０００７】
［０００７］本開示の幾つかの態様は、無線通信のための装置を提供する。その装置は、概して、１つ以上の近隣セルにおいて干渉する可能性がある信号を送信するために使用される１つ以上のタイプの通信サービスに関するシステムパラメータに関する情報を決定するための手段であって、決定される情報のタイプは、通信サービスのタイプに依存する手段と、干渉する可能性がある信号によって引き起こされた干渉を除去又は抑圧するために決定された情報を用いて干渉管理を行うための手段と、を含む。
【０００８】
［０００８］本開示の幾つかの態様は、無線通信のための装置を提供する。その装置は、概して、１つ以上の近隣セルにおいて干渉する可能性がある信号を送信するために使用される１つ以上のタイプの通信サービスに関するシステムパラメータに関する情報を決定するための手段であって、決定される情報のタイプは、通信サービスのタイプに依存する手段と、干渉する可能性がある信号によって引き起こされた干渉を除去又は抑圧するために決定された情報を用いて干渉管理を行うのを補助するために１つ以上のユーザ装置（ＵＥ）にシグナリングを送信するための手段と、を含む。
【０００９】
［０００９］本開示の幾つかの態様は、無線通信のための装置を提供する。その装置は、少なくとも１つのプロセッサと、その少なくとも１つのプロセッサに結合されたメモリと、を含む。その少なくとも１つのプロセッサは、１つ以上の近隣セルにおいて干渉する可能性がある信号を送信するために使用される１つ以上のタイプの通信サービスに関するシステムパラメータに関する情報を決定するように構成され、決定される情報のタイプは、通信サービスのタイプに依存し、及び、干渉する可能性がある信号によって引き起こされた干渉を除去又は抑圧するために決定された情報を用いて干渉管理を行うように構成される。
【００１０】
［００１０］本開示の幾つかの態様は、無線通信のための装置を提供する。その装置は、少なくとも１つのプロセッサと、その少なくとも１つのプロセッサに結合されたメモリと、を含む。その少なくとも１つのプロセッサは、概して、１つ以上の近隣セルにおいて干渉する可能性がある信号を送信するために使用される１つ以上のタイプの通信サービスに関するシステムパラメータに関する情報を決定するように構成され、決定される情報のタイプは、通信サービスのタイプに依存し、及び、干渉する可能性がある信号によって引き起こされた干渉を除去又は抑圧するために決定された情報を用いて干渉管理を行うのを補助するために１つ以上のユーザ装置（ＵＥ）にシグナリングを送信するように構成される。
【００１１】
［００１１］本開示の幾つかの態様は、無線通信のためのコンピュータプログラム製品を提供する。そのコンピュータプログラム製品は、コードが格納されている非一時的なコンピュータによって読み取り可能な媒体を含むことができる。そのコードは、概して、１つ以上の近隣セルにおいて干渉する可能性がある信号を送信するために使用される１つ以上のタイプの通信サービスに関するシステムパラメータに関する情報を決定するための命令であって、決定される情報のタイプは、通信サービスのタイプに依存する命令と、干渉する可能性がある信号によって引き起こされた干渉を除去又は抑圧するために決定された情報を用いて干渉管理を行うための命令と、を含む。
【００１２】
［００１２］本開示の幾つかの態様は、無線通信のためのコンピュータプログラム製品を提供する。そのコンピュータプログラム製品は、コードが格納されている非一時的なコンピュータによって読み取り可能な媒体を含むことができる。そのコードは、概して、１つ以上の近隣セルにおいて干渉する可能性がある信号を送信するために使用される１つ以上のタイプの通信サービスに関するシステムパラメータに関する情報を決定するための命令であって、決定される情報のタイプは、通信サービスのタイプに依存する命令と、干渉する可能性がある信号によって引き起こされた干渉を除去又は抑圧するために決定された情報を用いて干渉管理を行うのを補助するために１つ以上のユーザ装置（ＵＥ）にシグナリングを送信するための命令と、を含む。
【図面の簡単な説明】
【００１３】
【図１】［００１３］ネットワークアーキテクチャの例を示した図である。
【図２】［００１４］アクセスネットワークの例を示した図である。
【図３】［００１５］ＬＴＥにおけるＤＬフレーム構造の例を示した図である。
【図４】［００１６］ＬＴＥにおけるＵＬフレーム構造の例を示した図である。
【図５】［００１７］ユーザプレーン及び制御プレーンに関する無線プロトコルアーキテクチャの例を示した図である。
【図６】［００１８］本開示の幾つか態様による、アクセスネットワーク内のエボルブドノードＢ及びユーザ装置の例を示した図である。
【図７】［００１９］マルチメディアブロードキャスト単一周波数ネットワークにおけるエボルブドマルチメディアブロードキャストマルチキャストサービス（ｅＭＢＭＳ）を示した図である。
【図８】［００２０］ＬＴＥ配備シナリオ例を示した図である。
【図９Ａ】［００２１］本開示の態様を実践することができる、ＬＴＥ  Ｒｅｌｅａｓｅ１２における小さいセルに関する配備シナリオ例を示した図である。
【図９Ｂ】［００２１］本開示の態様を実践することができる、ＬＴＥ  Ｒｅｌｅａｓｅ１２における小さいセルに関する配備シナリオ例を示した図である。
【図９Ｃ】［００２１］本開示の態様を実践することができる、ＬＴＥ  Ｒｅｌｅａｓｅ１２における小さいセルに関する配備シナリオ例を示した図である。
【図１０】［００２２］本開示の幾つかの態様による、無線通信システムのコンポーネント例を示した図である。
【図１１】［００２３］本開示の態様による、干渉管理（例えば、干渉除去（ＩＣ）及び／又は干渉抑圧（ＩＳ））を行うことを目的として、例えば、ユーザ装置（ＵＥ）によって行われる動作例を示した図である。
【図１２】［００２４］本開示の態様による、多元サービスに関するＩＣ及び／又はＩＳを補助することを目的として、例えば、サービスを提供する基地局によって行われる動作例を示した図である。
【発明を実施するための形態】
【００１４】
［００２５］添付される図面と関係させて以下において示される発明を実施するための形態は、様々な構成に関する説明であることが意図されており、ここにおいて説明される概念を実践することができる唯一の構成を表すことは意図されていない。発明を実施するための形態は、様々な概念に関する徹底的な理解を提供することを目的とする具体的な詳細を含む。しかしながら、これらの概念は、これらの具体的な詳細なしに実践可能であることが当業者にとって明らかになるであろう。幾つかの例においては、よく知られた構造及びコンポーネントは、該概念を曖昧にすることを避けるためにブロック図形で示される。
【００１５】
［００２６］今度は電気通信システムの幾つかの態様が様々な装置及び方法を参照して提示される。これらの装置及び方法は、様々なブロック、モジュール、コンポーネント、回路、ステップ、プロセス、アルゴリズム、等（総称して“要素”と呼ばれる）によって以下の発明を実施するための形態において説明され、添付される図面において例示される。これらの要素は、ハードウェア、ソフトウェア、又はそれらの組み合わせを用いて実装することができる。該要素がハードウェア又はソフトウェアのいずれとして実装されるかは、特定の用途及び全体的なシステムに対して課せられた設計上の制約事項に依存する。
【００１６】
［００２７］例として、要素、又は要素の一部、又は要素の組み合わせは、１つ以上のプロセッサを含む“処理システム”によって実装することができる。プロセッサの例は、本開示全体を通じて説明される様々な機能を果たすように構成されたマイクロプロセッサ、マイクロコントローラ、デジタル信号プロセッサ（ＤＳＰ）、フィールドプログラマブルゲートアレイ（ＦＰＧＡ）、プログラマブルロジックデバイス（ＰＬＤ）、ステートマシン、ゲーテッドロジック、ディスクリートハードウェア回路、及びその他の適切なハードウェアを含む。処理システム内の１つ以上のプロセッサは、ソフトウェアを実行することができる。ソフトウェアとは、命令、命令セット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、エクセキュータブル（ｅｘｅｃｕｔａｂｌｅ）、実行スレッド、プロシージャ、関数、等を意味すると広義で解釈するものとし、ソフトウェア／ファームウェア、ミドルウェア、マイクロコード、ハードウェア記述言語、又はその他のいずれとして呼ばれるかを問わない。
【００１７】
［００２８］従って、１つ以上の典型的な実施形態においては、説明される機能は、ハードウェア、ソフトウェア、又はそれらの組み合わせ内に実装することができる。ソフトウェアにおいて実装される場合は、これらの機能は、コンピュータによって読み取り可能な媒体において１つ以上の命令又はコードとして格納すること又は符号化することができる。コンピュータによって読み取り可能な媒体は、コンピュータ記憶媒体を含む。記憶媒体は、コンピュータによってアクセス可能なあらゆる利用可能な媒体であることができる。一例として、及び制限することなしに、該コンピュータによって読み取り可能な媒体は、ＲＡＭ、ＲＯＭ、ＥＥＰＲＯＭ、ＰＣＭ（位相変化メモリ）、フラッシュメモリ、ＣＤ−ＲＯＭ又はその他の光学ディスク記憶装置、磁気ディスク記憶装置又はその他の磁気記憶装置、又は、希望されるプログラムコードを命令又はデータ構造の形態で搬送又は格納するために用いることができ及びコンピュータによってアクセス可能なあらゆるその他の媒体、を備えることができる。ここにおいて用いられるときのディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、Ｂｌｕ−ｒａｙ（登録商標）ディスク（ｄｉｓｃ）と、を含み、ここで、ｄｉｓｋは通常は磁気的にデータを複製し、ｄｉｓｃは、レーザを用いて光学的にデータを複製する。上記の組合せも、コンピュータによって読み取り可能な媒体の適用範囲に含めるべきである。
【００１８】
［００２９］図１は、ＬＴＥネットワークアーキテクチャ１００を例示した図である。ＬＴＥネットワークアーキテクチャ１００は、エボルブドパケットシステム（ＥＰＳ）１００と呼ぶことができる。ＥＰＳ１００は、１つ以上のユーザ装置（ＵＥ）１０２と、エボルブドＵＭＴＳ地上無線アクセスネットワーク（Ｅ−ＵＴＲＡＮ）１０４と、エボルブドパケットコア（ＥＰＣ）１１０と、ホーム加入者サーバ（ＨＳＳ）１２０と、オペレータＩＰサービス１２２と、を含むことができる。ＥＰＳは、その他のアクセスネットワークと相互に接続することができるが、単純化することを目的として、それらのエンティティ／インタフェースは示されていない。典型的なその他のアクセスネットワークは、ＩＰマルチメディアサブシステム（ＩＭＳ）ＰＤＮ、インターネットＰＤＮ、アドミニストレイティブ（Ａｄｍｉｎｉｓｔｒａｔｉｖｅ）ＰＤＮ（例えば、プロビジョニングＰＤＮ）、搬送波専用ＰＤＮ、オペレータ専用ＰＤＮ、及び／又はＧＰＳ  ＰＤＮを含むことができる。示されるように、ＥＰＳは、パケット交換型サービスを提供する。しかしながら、当業者が容易に評価するように、本開示全体を通じて提示される様々な概念は、回線交換型サービスを提供するネットワークに拡張することができる。
【００１９】
［００３０］Ｅ−ＵＴＲＡＮは、エボルブドノードＢ（ｅＮＢ）１０６と、その他のｅＮＢ１０８と、を含む。ｅＮＢ１０６は、ＵＥ１２０へ向けてのユーザ及び制御プレーンプロトコル終端を提供する。ｅＮＢ１０６は、Ｘ２インタフェース（例えば、バックホール）を介してその他のｅＮＢ１０８に接続することができる。ｅＮＢ１０６は、基地局（ＢＳ）、ベーストランシーバ局、無線基地局、無線トランシーバ、トランシーバ機能、ベーシックサービスセット（ＢＳＳ）、拡張サービスセット（ＥＳＳ）、アクセスポイント、と呼ぶこと又はその他の何らかの用語で呼ぶことができる。ｅＮＢ１０６は、ＵＥ１０２のためにＥＰＣ１１０にアクセスポイントを提供することができる。ＵＥ１０２の例は、携帯電話、スマートフォン、セッション開始プロトコル（ＳＩＰ）フォン、ラップトップ、パーソナルデジタルアシスタント（ＰＤＡ）、衛星無線、全地球測位システム、マルチメディアデバイス、映像デバイス、デジタルオーディオプレーヤー（例えば、ＭＰ３プレーヤー）、カメラ、ゲームコンソール、タブレット、ネットブック、スマートブック、ウルトラブック、又はその他の同様の機能のデバイスを含む。ＵＥ１０２は、当業者によって、移動局、加入者局、モバイルユニット、加入者ユニット、ワイヤレスユニット、リモートユニット、モバイルデバイス、ワイヤレスデバイス、無線通信デバイス、リモートデバイス、モバイル加入者局、アクセス端末、モバイル端末、無線端末、遠隔端末、ハンドセット、ユーザエージェント、モバイルクライアント、クライアント、と呼ぶこと又は何らかのその他の用語で呼ぶことができる。
【００２０】
［００３１］ｅＮＢ１０６は、Ｓ１インタフェースによってＥＰＣ１１０に接続される。ＥＰＣ１１０は、モビリティ管理エンティティ（ＭＭＥ）１１２と、その他のＭＭＥ１１４と、サービングゲートウェイ１１６と、パケットデータネットワーク（ＰＤＮ）ゲートウェイ１１８と、を含む。ＭＭＥ１１２は、ＵＥ１０２とＥＰＣ１１０との間のシグナリングを処理する制御ノードである。概して、ＭＭＥ１１２は、ベアラ及び接続の管理を提供する。すべてのユーザＩＰパケットがサービングゲートウェイ１１６を通じて転送され、それ自体は、ＰＤＮゲートウェイ１１８に接続される。ＰＤＮゲートウェイ１１８は、ＵＥ  ＩＰアドレス割り当て及びその他の機能を提供する。ＰＤＮゲートウェイ１１８は、オペレータＩＰサービス１２２に接続される。オペレータＩＰサービス１２２は、例えば、インターネット、イントラネット、ＩＰマルチメディアサブシステム（ＩＭＳ）、及びＰＳ（パケット交換型）ストリーミングサービス（ＰＳＳ）を含むことができる。このようにして、ＵＥ１０２は、ＬＴＥネットワークを通じてＰＤＮに結合することができる。
【００２１】
［００３３］図２は、ＬＴＥネットワークアーキテクチャにおけるアクセスネットワーク２００の例を示した図である。“ＬＴＥ”は、概して、ＬＴＥ及びＬＴＥ−Ａｄｖａｎｃｅｄ（ＬＴＥ−Ａ）を意味する。
【００２２】
［００３３］この例では、アクセスネットワーク２００は、幾つかのセルラー領域（セル）２０２に分割される。１つ以上のより低い電力クラスのｅＮＢ２０８が、セル２０２のうちの１つ以上と重なり合うセルラー領域２１０を有することができる。より低い電力クラスのｅＮＢ２０８は、リモートラジオヘッド（ＲＲＨ）と呼ぶことができる。より低い電力クラスのｅＮＢ２０８は、フェムトセル（例えば、ホームｅＮＢ（ＨｅＮＢ）、ピコセル、又はミクロセルであることができる。マクロｅＮＢ２０４が各々のセル２０２に各々割り当てられ、セル２０２内のすべてのＵＥ２０６のためにＥＰＣ１１０にアクセスポイントを提供するように構成される。アクセスネットワーク２００のこの例では中央集中型コントローラは存在しないが、代替構成においては中央集中型コントローラを使用することができる。ｅＮＢ２０４は、無線ベアラ制御と、アドミッション制御と、モビリティ制御と、スケジューリングと、セキュリティと、サービングゲートウェイ１１６への接続性と、を含むすべての無線関連機能を担当する。ネットワーク２００は、１つ以上の中継器（示されていない）を含むこともできる。一用途により、ＵＥは、中継器として働くことができる。
【００２３】
［００３４］アクセスネットワーク２００によって採用される変調及び多元接続方式は、配備されている特定の電気通信規格に依存して異なることができる。ＬＴＥ用途では、周波数分割複信（ＦＤＤ）及び時分割複信（ＴＤＤ）の両方をサポートするためにＤＬではＯＦＤＭが使用され、ＵＬではＳＣ−ＦＤＭＡが使用される。後続する発明を実施するための形態から当業者が容易に評価することになるように、ここにおいて提示される様々な概念はＬＴＥ用途に非常に適している。しかしながら、これらの概念は、その他の変調技法及び多元接続技法を採用するその他の電気通信規格に容易に拡張することができる。例として、これらの概念は、エボリューション−データ・オプティテマイズド（Ｅｖｏｌｕｔｉｏｎ−Ｄａｔａ  Ｏｐｔｉｍｉｚｅｄ（ＥＶ−ＤＯ）又はウルトラモバイルブロードバンド（Ｕｌｔｒａ  Ｍｏｂｉｌｅ  Ｂｒｏａｄｂａｎｄ（ＵＭＢ）に拡張することができる。ＥＶ−ＤＯ及びＵＭＢは、ＣＤＭＡ規格系統の一部として第三世代パートナーシッププロジェクト２（３ＧＰＰ２）によって公布されたエアインタフェース規格であり、移動局にブロードバンドインターネットアクセスを提供するためにＣＤＭＡを採用する。これらの概念は、ワイドバンド−ＣＤＭＡ（Ｗ−ＣＤＭＡ）及びＣＤＭＡのその他の変形、例えば、ＴＤ−ＳＣＤＭＡ、を採用するユニバーサル地上無線アクセス（ＵＴＲＡ）、ＴＤＭＡを採用するグローバル移動通信システム（ＧＳＭ（登録商標））、及び、ＯＦＤＭＡを採用するエボルブドＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、及びＦｌａｓｈ−ＯＦＤＭに対しても拡張することができる。ＵＴＲＡ、Ｅ−ＵＴＲＡ、ＵＭＴＳ、ＬＴＥ及びＧＳＭは、３ＧＰＰ組織からの文書において記述されている。ＣＤＭＡ２０００及びＵＭＢは、３ＧＰＰ組織からの文書において記述されている。採用される実際の無線通信規格及び多元接続技術は、特定の用途及びシステムに対して課せられている全体的システムに関する制約事項に依存する。
【００２４】
［００３５］ｅＮＢ２０４は、ＭＩＭＯ技術をサポートする複数のアンテナを有することができる。ＭＩＭＯ技術の使用は、ｅＮＢ２０４が空間的多重化、ビーム形成、及び送信ダイバーシティをサポートするために空間領域を利用するのを可能にする。空間的多重化は、複数の異なるデータストリームを同じ周波数で同時に送信するために使用することができる。データストリームは、データレートを増大させるために単一のＵＥ２０６に送信すること又は全体的システムの容量を増大させるために複数のＵＥ２０６に送信することができる。これは、各データストリームを空間的にプリコーディングし（例えば、振幅及び位相のスケーリングを適用し）、次に、各々の空間的にプリコーディングされたストリームをＤＬで複数の送信アンテナを通じて送信することによって達成することができる。空間的にプリコーディングされたデータストリームは、複数の異なる空間的シグナチャを持ってＵＥ２０６に到達し、それは、ＵＥ２０６の各々がそのＵＥ２０６に向けられた１つ以上のデータストリームを復元するのを可能にする。ＵＬでは、各ＵＥ２０６は、空間的にプリコーディングされたデータストリームを送信し、それは、ｅＮＢ２０４が各々の空間的にプリコーディングされたデータストリームのソースを識別するのを可能にする。
【００２５】
［００３６］空間的多重化は、概して、チャネル状態が良好であるときに使用される。チャネル状態が好ましくないときには、送信エネルギーを１つ以上の方向に集束させるためにビーム形成を使用することができる。これは、複数のアンテナを通じての送信のためにデータを空間的にプリコーディングすることによって達成することができる。セルの縁部において良好なカバレッジを達成するために、単一ストリームビーム形成送信を送信ダイバーシティと組み合わせて使用することができる。
【００２６】
［００３７］以下の発明を実施するための形態では、ＤＬでのＯＦＤＭをサポートするＭＩＭＯシステムを参照してアクセスネットワークの様々な態様が説明される。ＯＦＤＭは、ＯＦＤＭシンボル内の幾つかの副搬送波にわたってデータを変調する拡散スペクトル技法である。それらの副搬送波は、正確な周波数間隔で配置される。その間隔は、受信機が副搬送波からデータを復元するのを可能にする“直交性”を提供する。時間領域では、ＯＦＤＭシンボル間の干渉に対処するために各ＯＦＤＭシンボルにガード間隔（例えば、サイクリックプリフィックス）を加えることができる。ＵＬは、高いピーク対平均電力比（ＰＡＰＲ）を補償するためにＤＦＴ拡散ＯＦＤＭ信号の形でＳＣ−ＦＤＭＡを使用することができる。
【００２７】
［００３８］図３は、ＬＴＥにおけるＤＬフレーム構造の例を示した図３００である。フレーム（１０ｍｓ）は、０乃至９のインデックスを有する１０の等しいサイズのサブフレームに分割することができる。各サブフレームは、２つの連続するタイムスロットを含むことができる。２つのタイムスロットを表すためにリソースグリッドを使用することができ、各タイムスロットは、リソースブロックを含む。リソースグリッドは、複数のリソース要素に分割される。ＬＴＥでは、リソースブロックは、１２の連続する副搬送波が周波数領域に入っており、各ＯＦＤＭシンボル内の通常のサイクリックプリフィックスに関しては、７つの連続するＯＦＤＭシンボル、又は８４のリソース要素が時間領域に入っている。拡張されたサイクリックプリフィックスに関しては、リソースブロックは、６つの連続するＯＦＤＭシンボルが時間領域に入っており、７２のリソース要素を有する。それらのリソース要素の一部は、Ｒ  ３０２、Ｒ  ３０４として示されるように、ＤＬ基準信号（ＤＬ−ＲＳ）を含む。ＤＬ−ＲＳは、セル専用ＲＳ（ＣＲＳ）（共通のＲＳとも時々呼ばれる）と、ＵＥ専用ＲＳ（ＵＥ−ＲＳ）３０４と、を含む。ＵＥ−ＲＳ３０４は、対応する物理ＤＬ共有チャネル（ＰＤＳＣＨ）がマッピングされるリソースブロックのみで送信される。各リソース要素によって搬送されるビット数は、変調方式に依存する。従って、ＵＥが受信するリソースブロックが多ければ多いほど及び変調方式が高ければ高いほど、ＵＥに関するデータレートが高くなる。
【００２８】
［００３９］ＬＴＥでは、ｅＮＢは、ｅＮＢの各セルに関してプライマリ同期化信号（ＰＳＳ）及びセカンダリ同期化信号（ＳＳＳ）を送信することができる。プライマリ及びセカンダリ同期化信号は、通常のサイクリックプリフィックス（ＣＰ）を有する各無線フレームのサブフレーム０及び５の各々においてシンボル期間６及び５でそれぞれ送信することができる。同期化信号は、セルの検出及び取得のためにＵＥによって使用することができる。ｅＮＢは、サブフレーム０のスロット１内のシンボル期間０乃至３に物理ブロードキャストチャネル（ＰＢＣＨ）を送信することができる。ＰＢＣＨは、幾つかのシステム情報を搬送することができる。
【００２９】
［００４０］ｅＮＢは、各サブフレームの第１のシンボル期間に物理制御フォーマットインジケータチャネル（ＰＣＦＩＣＨ）を送信することができる。ＰＣＦＩＣＨは、制御チャネルのために使用されるシンボル期間数（Ｍ）を運ぶことができ、ここで、Ｍは、１、２又は３に等しいことができ、サブフレームごとに変化することができる。Ｍは、例えば、１０未満のリソースブロックを有する小さいシステム帯域幅に関しては４に等しいこともできる。ｅＮＢは、各サブフレームの最初のＭのシンボル期間に物理ＨＡＲＱインジケータチャネル（ＰＨＩＣＨ）及び物理ダウンリンク制御チャネル（ＰＤＣＣＨ）を送信することができる。ＰＨＩＣＨは、ハイブリッド自動再送要求（ＨＡＲＱ）をサポートするための情報を搬送することができる。ＰＤＣＣＨは、ＵＥのためのリソース割り当てに関する情報及びダウンリンクチャネルのための制御情報を搬送することができる。ｅＮＢは、各サブフレームの残りのシンボル期間で物理ダウンリンク共有チャネル（ＰＤＳＣＨ）を送信することができる。ＰＤＳＣＨは、ダウンリンクでのデータ送信用にスケジューリングされたＵＥのためのデータを搬送することができる。
【００３０】
［００４１］ｅＮＢは、ｅＮＢによって使用されるシステム帯域幅の中央の１．０８ＭＨｚでＰＳＳ、ＳＳＳ、及びＰＢＣＨを送信することができる。ｅＮＢは、ＰＣＦＩＣＨ及びＰＨＩＣＨが送信される各シンボル期間でシステム帯域幅全体にわたってこれらのチャネルを送信することができる。ｅＮＢは、システム帯域幅のある一定の部分でＵＥのグループにＰＤＣＣＨを送信することができる。ｅＮＢは、システム帯域幅の特定の部分で特定のＵＥにＰＤＳＣＨを送信することができる。ｅＮＢは、すべてのＵＥに対してブロードキャスト方式でＰＳＳ、ＳＳＳ、ＰＢＣＨ、ＰＣＦＩＣＨ、及びＰＨＩＣＨを送信することができ、特定のＵＥに対してユニキャスト方式でＰＤＣＣＨを送信することができ、及び、特定のＵＥに対してユニキャスト方式でＰＤＳＣＨを送信することもできる。
【００３１】
［００４２］各シンボル期間では幾つかのリソース要素を利用可能である。各リソース要素（ＲＥ）は、１つのシンボル期間で１つの副搬送波を網羅することができ、１つの変調シンボルを送信するために使用することができ、それは、実数値又は複素数値であることができる。各シンボル期間で基準信号のために使用されないリソース要素は、リソース要素グループ（ＲＥＧ）に分けることができる。各ＲＥＧは、１つのシンボル期間において４つのリソース要素を含むことができる。ＰＣＦＩＣＨは、４つのＲＥＧを占めることができ、それらは、シンボル期間０において、周波数にわたってほぼ等しい間隔であることができる。ＰＨＩＣＨは、３つのＲＥＧを占めることができ、それらは、１つ以上の構成可能なシンボル期間において、周波数にわたって広げることができる。例えば、ＰＨＩＣＨに関する３つのＲＥＧは、すべて、シンボル期間０内に属することができ、又は、シンボル期間０、１、及び２において拡散することができる。ＰＤＣＣＨは、９、１８、３６、又は７２のＲＥＧを占めることができ、それらは、例えば、最初のＭのシンボル期間に、利用可能なＲＥＧから選択することができる。ＰＤＣＣＨに関してはＲＥＧの幾つかの組み合わせのみを許容することができる。
【００３２】
［００４３］ＵＥは、ＰＨＩＣＨ及びＰＣＦＩＣＨのために使用される特定のＲＥＧを知っていることができる。ＵＥは、ＰＤＣＣＨに関してＲＥＧの異なる組み合わせを探索することができる。探索すべき組み合わせ数は、典型的には、ＰＤＣＣＨに関する許容される組み合わせ数よりも少ない。ｅＮＢは、ＵＥが探索するあらゆる組み合わせにおいてＵＥにＰＤＣＣＨを送信することができる。
【００３３】
［００４４］図４は、ＬＴＥにおけるＵＬフレーム構造の例を示した図４００である。ＵＬに関する利用可能なリソースブロックは、データ部及び制御部に分割することができる。制御部は、システム帯域幅の２つの縁部において形成することができ及び設定可能なサイズを有することができる。制御部内のリソースブロックは、制御情報の送信のためにＵＥに割り当てることができる。データ部は、制御部に含まれていないすべてのリソースブロックを含むことができる。ＵＬフレーム構造の結果として、データ部は隣接する副搬送波を含み、それは、データ部のすべての隣接する副搬送波を単一のＵＥに割り当てるのを可能にすることができる。
【００３４】
［００４５］ＵＥには、ｅＮＢに制御情報を送信するために制御部内のリソースブロック４１０ａ、４１０ｂを割り当てることができる。ＵＥには、ｅＮＢにデータを送信するためにデータ部内のリソースブロック４２０ａ、４２０ｂを割り当てることもできる。ＵＥは、制御部内の割り当てられたリソースブロックにおける物理ＵＬ制御チャネル（ＰＵＣＣＨ）で制御情報を送信することができる。ＵＥは、データ部内の割り当てられたリソースブロックにおける物理ＵＬ共有チャネル（ＰＵＳＣＨ）でデータのみ又はデータと制御情報の両方を送信することができる。ＵＬ送信は、サブフレームの両方のスロットにわたることができ及び周波数間でホップすることができる。
【００３５】
［００４６］物理ランダムアクセスチャネル（ＰＲＡＣＨ）４３０で最初のシステムアクセスを行い及びＵＬ同期化を達成するために一組のリソースブロックを使用することができる。ＰＲＡＣＨ４３０は、ランダムシーケンスを搬送し、及び、ＵＬデータ／シグナリングを搬送することができない。各ランダムアクセスプリアンブルは、６つの連続するリソースブロックに対応する帯域幅を占める。開始周波数は、ネットワークによって指定される。すなわち、ランダムアクセスプリアンブルの送信は、ある一定の時間リソース及び周波数リソースに制限される。ＰＲＡＣＨに関して周波数ホッピングは存在しない。ＰＲＡＣＨ試行は、単一のサブフレーム（１ｍｓ）で又は幾つかの隣接するサブフレームのシーケンスで搬送され、ＵＥは、１つフレーム当たり（１０ｍｓ）単一のＰＲＡＣＨ試行のみを行うことができる。
【００３６】
［００４７］図５は、ＬＴＥにおけるユーザプレーン及び制御プレーンに関する無線プロトコルアーキテクチャの例を示した図５００である。ＵＥ及びｅＮＢに関する無線プロトコルアーキテクチャは、３つの層、すなわち、層１、層２、及び層３、を有する状態が示されている。層１（Ｌ１層）は、最低層であり、様々な物理層信号処理機能を実装する。Ｌ１層は、ここでは物理層５０６と呼ばれる。層２（Ｌ２層）は、物理層５０６の上方の層であり、物理層５０６を通じてのＵＥとｅＮＢとの間のリンクを担当する。
【００３７】
［００４８］ユーザプレーンでは、Ｌ２層５０８は、メディアアクセス制御（ＭＡＣ）副層５１０と、無線リンク制御（ＲＬＣ）副層５１２と、パケットデータコンバージェンスプロトコル（ＰＤＰＣ）５１４副層と、を含み、それらは、ネットワーク側でｅＮＢにおいて終端される。示されていないが、ＵＥは、Ｌ２層５０８の上方において幾つかの上層を有することができ、ネットワーク側のＰＤＮゲートウェイ１１８において終端されるネットワーク層（例えば、ＩＰ層）と、接続の他端において終端されるアプリケーション層（例えば、遠端ＵＥ、サーバ、等）と、を含む。
【００３８】
［００４９］ＰＤＣＰ副層５１４は、異なる無線ベアラと論理チャネルとの間の多重化を提供する。ＰＤＣＰ副層５１４は、無線送信オーバーヘッドを低減させるための上層データパケットのためのヘッダ圧縮、データパケットを符号化することによるセキュリティ、及びｅＮＢ間のＵＥのためのハンドオーバーサポート、を提供する。ＲＬＣ副層５１２は、上層データパケットのセグメンテーションとリアセンブリ、失われたデータパケットの再送信、及びハイブリッド自動再送要求（ＨＡＲＱ）に起因する順序外の受信を補償するための順序再設定を提供する。ＭＡＣ副層５１０は、論理チャネルとトランスポートチャネルとの間の多重化を提供する。ＭＡＣ副層５１０は、１つのセル内の様々な無線リソース（例えば、リソースブロック）をＵＥ間で割り当てることも担当する。ＭＡＣ副層５１０は、ＨＡＲＱ動作も担当する。
【００３９】
［００５０］制御プレーンでは、ＵＥ及びｅＮＢに関する無線プロトコルアーキテクチャは、物理層５０６及びＬ２層５０８に関して実質上同じであり、制御プレーンに関してはヘッダ圧縮機能がないことが異なる。制御プレーンは、層３（Ｌ３層）内に無線リソース制御（ＲＲＣ）副層５１６も含む。ＲＲＣ副層５１６は、無線リソース（すなわち、無線ベアラ）を入手すること及びｅＮＢとＵＥとの間でＲＲＣシグナリングを用いてより下位の層を構成することを担当する。
【００４０】
［００５１］図６は、アクセスネットワークにおいてＵＥ６５０と通信状態にあるｅＮＢ６１０のブロック図である。ＤＬでは、コアネットワークからの上位層パケットがコントローラ／プロセッサ６７５に提供される。コントローラ／プロセッサ６７５は、Ｌ２層の機能を実装する。ＤＬでは、コントローラ／プロセッサ６７５は、ヘッダ圧縮、符号化、パケットのセグメンテーションと順序再設定、論理チャネルとトランスポートチャネルとの間での多重化、及び、様々な優先度メトリックに基づいたＵＥ６５０への無線リソースの割り当てを提供する。コントローラ／プロセッサ６７５は、ＨＡＲＱ動作、失われたパケットの再送信、及びＵＥ６５０へのシグナリングも担当する。
【００４１】
［００５２］ＴＸプロセッサ６１６は、Ｌ１層（すなわち、物理層）に関する様々な信号処理機能を実装する。信号処理機能は、ＵＥ６５０における前方誤り訂正（ＦＥＣ）を容易にするためにコーディング及びインターリービングすることと、様々な変調方式（例えば、２位相偏移変調（ＢＰＳＫ）、直交位相偏移変調（ＱＰＳＫ）、Ｍ位相偏移変調（Ｍ−ＰＳＫ）、Ｍ直交振幅変調（Ｍ−ＱＡＭ））に基づいて信号点配置にマッピングすることと、を含む。コーディング及び変調されたシンボルは、平行するストリームに分割される。各ストリームは、ＯＦＤＭ副搬送波にマッピングされ、時間領域及び／又は周波数領域において基準信号（例えば、パイロット）と多重化され、次に逆高速フーリエ変換（ＩＦＦＴ）を用いてまとめて結合され、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディング及び変調方式を決定するために、及び空間的処理のために使用することができる。チャネル推定値は、ＵＥ６５０によって送信された基準信号及び／又はチャネル状態フィードバックから導き出すことができる。各空間ストリームは、別個の送信機６１８ＴＸを介して異なるアンテナ６２０に提供される。各送信機６１８ＴＸは、送信のために各々の空間ストリームとともにＲＦ搬送波を変調する。
【００４２】
［００５３］ＵＥ６５０において、各受信機６５４ＲＸは、各々のアンテナ６５２を通じて信号を受信する。各受信機６５４ＲＸは、ＲＦ搬送波上に変調された情報を復元し、その情報を受信機（ＲＸ）プロセッサ６５６に提供する。ＲＸプロセッサ６５６は、Ｌ１層の様々な信号処理機能を実装する。ＲＸプロセッサ６５６は、ＵＥ６５０に向けられた空間ストリームを復元するために情報に関する空間的処理を行う。複数の空間ストリームがＵＥ６５０向けである場合は、それらは、ＲＸプロセッサ６５６によって単一のＯＦＤＭシンボルストリームに結合することができる。次に、ＲＸプロセッサ６５６は、高速フーリエ変換（ＦＦＴ）を用いてＯＦＤＭシンボルストリームを時間領域から周波数領域に変換する。周波数領域信号は、ＯＦＤＭ信号の各副搬送波に関して別々のＯＦＤＭシンボルストリームを備える。各副搬送波のシンボル、及び基準信号は、ｅＮＢ６１０によって送信された最も可能性が高い信号点配置点を決定することによって復元及び復調される。これらのソフト決定は、チャネル推定器６５８によって計算されたチャネル推定値に基づくことができる。ソフト決定が復号及びデインターリービングされて、ｅＮＢ６１０によって物理チャネルで最初に送信されたデータ及び制御信号が復元される。次に、データ及び制御信号は、コントローラ／プロセッサ６５９に提供される。
【００４３】
［００５４］コントローラ／プロセッサ６５９は、Ｌ２層を実装する。コントローラ／プロセッサは、プログラムコード及びデータを格納するメモリ６６０と関連させることができる。メモリ６６０は、コンピュータによって読み取り可能な媒体と呼ぶことができる。ＵＬでは、コントローラ／プロセッサ６５９は、トランスポートチャネルと論理チャネルとの間での多重化解除、パケットリアセンブリ、復号、ヘッダ圧縮解除、コアネットワークから上層パケットを復元するための制御信号処理を提供する。次に、上層パケットがデータシンク６６２に提供され、それは、Ｌ２層よりも上方のすべてのプロトコル層を表す。Ｌ３処理のために様々な制御信号をデータシンク６６２に提供することもできる。コントローラ／プロセッサ６５９は、ＨＡＲＱ動作をサポートするための肯定応答（ＡＣＫ）及び／又は否定応答（ＮＡＣＫ）プロトコルを用いた誤り検出も担当する。
【００４４】
［００５５］ＵＬにおいて、上層パケットをコントローラ／プロセッサ６５９に提供するためにデータソース６６７が使用される。データソース６６７は、Ｌ２層の上方のすべてのプロトコル層を代表する。ｅＮＢ６１０によるＤＬ送信と関係させて説明される機能と同様に、コントローラ／プロセッサ６５９は、ｅＮＢ６１０による無線リソース割り当てに基づいて論理チャネルとトランスポートチャネルとの間でヘッダ圧縮、符号化、パケットのセグメンテーションと順序再設定、及び多重化を提供することによってユーザプレーン及び制御プレーンに関するＬ２層を実装する。コントローラ／プロセッサ６５９は、ＨＡＲＱ動作、失われたパケットの再送信、及びｅＮＢ６１０へのシグナリングも担当する。
【００４５】
［００５６］ｅＮＢ６１０によって送信された基準信号又はフィードバックからチャネル推定器６５８によって導き出されたチャネル推定値は、該当するコーディング及び変調方式を選択するために、及び空間処理を容易にするためにＴＸプロセッサ６６８によって使用することができる。ＴＸプロセッサ６６８によって生成された空間ストリームは、別々の送信機６５４ＴＸを介して異なるアンテナ６５２に提供される。各送信機６５４ＴＸは、送信のために各々の空間ストリームとともにＲＦ搬送波を変調する。
【００４６】
［００５７］ＵＬ送信は、ＵＥ６５０における受信機機能と関係させて説明される方法と同様のそれでｅＮＢ６１０において処理される。各受信機６１８ＲＸは、それの各々のアンテナ６２０を通じて信号を受信する。各受信機６１８ＲＸは、ＲＦ搬送波上に変調された情報を復元し、その情報をＲＸプロセッサ６７０に提供する。ＲＸプロセッサ６７０は、Ｌ１層を実装することができる。
【００４７】
［００５８］コントローラ／プロセッサ６７５は、Ｌ２層を実装する。コントローラ／プロセッサ６７５は、プログラムコード及びデータを格納するメモリ６７６と関連させることができる。メモリ６７６は、コンピュータによって読み取り可能な媒体と呼ぶことができる。ＵＬでは、コントローラ／プロセッサ６７５は、ＵＥ６５０から上層パケットを復元するためにトランスポートチャネルと論理チャネルとの間での多重化解除、パケットリアセンブリ、復号、ヘッダ圧縮、制御信号処理を提供する。コントローラ／プロセッサ６７５からの上層パケットは、コアネットワークに提供することができる。コントローラ／プロセッサ６７５は、ＨＡＲＱ動作をサポートするためのＡＣＫ及び／又はＮＡＣＫプロトコルを用いた誤り検出も担当する。
【００４８】
［００５９］本開示の態様により、ｅＮＢ６１０の１つ以上のモジュール及びＵＥ６５０の１つ以上のモジュールは、ここにおいて説明される動作を行うことができる。例えば、ｅＮＢ６１０のコントローラ／プロセッサ６７５は、ここにおいて説明される動作を行うことができる。幾つかの態様により、コントローラ／プロセッサ６７５、Ｔｘ／Ｒｘ６１８、及び／又はアンテナ６２０は、例えば、図１２を参照して、ここにおいて説明される動作を行うことができ、アンテナ６５２は、例えば、図１１を参照して、ここにおいて説明される動作を行うことができる。
【００４９】
［００６０］図７は、マルチメディアブロードキャスト単一周波数ネットワーク（ＭＢＳＦＮ）におけるエボルブドマルチキャストブロードキャストマルチメディアサービス（ｅＭＢＭＳ）を例示した図７５０である。セル７５２’内のｅＮＢ７５２は、第１のＭＢＳＦＮエリアを形成することができ、セル７５４’内のｅＮＢ７５４は、第２のＭＢＳＦＮエリアを形成することができる。ｅＮＢ７５２、７５４は、その他のＭＢＳＦＮエリア、例えば、合計８つのＭＢＳＦＮエリア、と関連させることができる。ＭＢＳＦＮエリア内の１つのセルは、予約セルとして指定することができる。予約セルは、マルチキャスト／ブロードキャストコンテンツを提供せず、セル７５２’、７５４’と時間的に同期化され、及び、ＭＢＳＦＮエリアに対する干渉を制限するためにＭＢＳＦＮリソースに関して制限された電力を有する。ＭＢＳＦＮエリア内の各ｅＮＢは、同じｅＭＢＭＳ制御情報及びデータを同期的に送信する。各エリアは、ブロードキャストサービス、マルチキャストサービス、及びユニキャストサービスをサポートすることができる。ユニキャストサービスは、特定のユーザを対象とするサービス、例えば、音声呼、である。マルチキャストサービスは、ユーザのグループによって受信することができるサービス、例えば、加入映像サービス、である。ブロードキャストサービスは、すべてのユーザによって受信することができるサービス、例えば、ニュース放送、である。図７を参照し、第１のＭＢＳＦＮエリアは、例えば、特定のニュース放送をＵＥ７７０に提供することによって、第１のｅＭＢＭＳブロードキャストサービスをサポートすることができる。第２のＭＢＳＦＮエリアは、例えば、異なるニュース放送をＵＥ７６０に提供することによって、第２のｅＭＢＭＳブロードキャストサービスをサポートすることができる。各ＭＢＳＦＮエリアは、複数の物理マルチキャストチャネル（ＰＭＣＨ）（例えば、１５のＰＭＣＨ）をサポートする。各ＰＭＣＨは、マルチキャストチャネル（ＭＣＨ）に対応する。各ＭＣＨは、複数（例えば、２９）のマルチキャスト論理チャネルを多重化することができる。各ＭＢＳＦＮエリアは、１つのマルチキャスト制御チャネル（ＭＣＣＨ）を有することができる。従って、１つのＭＣＨは、１つのＭＣＣＨ及び複数のマルチキャストトラフィックチャネル（ＭＴＣＨ）を多重化することができ、残りのＭＣＨは、複数のＭＴＣＨを多重化することができる。
【００５０】
高度な干渉管理
［００６１］ここにおいて説明されるように、干渉管理は、干渉抑圧（ＩＳ）及び／又は干渉除去（ＩＣ）を含むことができる。ＩＳは、最小平均二乗誤差（ＭＭＳＥ）干渉除去によって行うことができる。干渉管理のためのマルチユーザ検出（ＭＵＤ）は、希望される信号に関する及び干渉に関する同時最尤度（ＭＬ）検出を含むことができる。
【００５１】
［００６２］シンボルレベル干渉除去（ＳＬＩＣ）に関しては、ＰＤＳＣＨ送信を符号化するために使用されるコード方式は無視することができ、各トーンは、独立して取り扱うことができる。各トーン（例えば、シンボル）に関して、最も可能性が高い送信ビットは、例えば、採用される空間方式及び変調フォーマットに基づいて推定することができる。１つ以上の干渉信号の推定値は、適宜再構築することができる。
【００５２】
［００６３］コードワードレベル干渉除去（ＣＷＩＣ）の場合は、ＵＥは、そのＵＥが除去することを希望する各ＰＤＳＣＨペイロードを送信するために干渉物によって使用されるコーディング方式を考慮に入れることができる。これは、例えば、ＰＤＳＣＨに関するターボコーディングの誤り訂正能力を利用するために行うことができる。概して、及び、（例えば、高い信号対干渉＋雑音比（ＳＩＮＲ）に基づいて）信頼できるターボ復号を確保することができると仮定した場合、再構築された干渉信号は、ＳＬＩＣと比較してＣＷＩＣに関してより信頼性が高いことができる。
【００５３】
［００６４］図８は、ＬＴＥ  Ｒｅｌｅａｓｅ１１に関する配備シナリオ例を示す。シナリオ１及び２（それぞれＳｃｎ−１及びＳｃｎ−２）は、同種（homogeneous）配備例を示す。シナリオ１は、ｅＮＢ内調整マルチポイント（ＣｏＭＰ）通信セットアップを示す。シナリオ２は、高い送信電力リモートラジオヘッド（ＲＲＨ）を含むｅＮＢ間ＣｏＭＰセットアップ例を示す。
【００５４】
［００６５］図８のシナリオ３及び４（それぞれＳｃｎ−３及びＳｃｎ−４）は、異種（heterogeneous）配備例を示す。シナリオ３では、マクロ基地局及びＲＲＨは、異なる物理的セル識別子（ＰＣＩ）を用いて構成することができる。シナリオ４では、マクロ基地局及びＲＲＨは、同じＰＣＩを用いて構成することができる。この結果、共通のＰＤＣＣＨ制御領域を得ることができる。
【００５５】
［００６６］図９Ａ、９Ｂ、及び９Ｃは、ＬＴＥ  Ｒｅｌｅａｓｅ１２における小さいセル（例えば、ＨｅｔＮｅｔにおけるピコセル及びフェムトセル）に関する配備シナリオ例を示す。幾つかの事例においては、カバレッジ及びサービスを拡張するために、マクロセル９１０に加えて小さいセル９２０ａ、９２０ｂ、９２０ｃの配備を有するのが望ましい。これらの配備は、例えば、図９Ａにおけるようにマクロセルと同じ周波数帯域（Ｆ１）で、又は、図９Ｂにおけるように異なる周波数帯域（Ｆ２）で、動作する小さいセルを含むことができる。
【００５６】
［００６７］小さいセルの配備は、図９Ａにおけるように、マクロセルのエリア９１２内のエリア９２２、又は、図９Ｂ及び９Ｃにおけるように、マクロセルのエリアの外側にあるエリア９２４、９２６、９２８を網羅する小さいセルの集まりを含むこともできる。一例として、ネットワークオペレータは、小さいセルの集まりのエリア９２２でのサービスを向上させるためにマクロセルのエリア９１２内に小さいセルの集まりを配備することを選択することができる。小さいセルの集まりのエリアは、例えば、マクロセルのエリアの縁部に存在することができる。ネットワークオペレータは、例えば、ユーザ数が少なすぎてマクロセルを配備することを正当化することができないエリア９２４、９２６にサービスを拡大するためにマクロセルのエリアの外側に小さいセルの集まりを配備するのを選択することができる。
【００５７】
［００６８］小さいセルの配備は、図９Ｃにおいて示されるように、マクロセルに直接リンクされていない小さいセルの集まりも含むことができる。例えば、ネットワークオペレータは、多数のユーザが集まる可能性があるエリア、例えば、スタジアム、にサービスを提供するためにマクロセルに直接リンクされていない小さいセルの集まりを配備することを選択することができる。
【００５８】
［００６９］伝統的なＬＴＥ設計では、例えば、スペクトル効率の向上、あまねくカバレッジ、及び向上されたサービス品質（ＱｏＳ）に注力している。この結果、典型的には、最高水準のスマートフォン及びタブレットを含むハイエンドデバイスが得られる。しかしながら、低コスト、低レートのデバイスも同様にサポートされるべきである。例えば、幾つかの市場予測では、低コストデバイス数が現在使用されている携帯電話数を大きく上回っていることが示されている。
【００５９】
［００７０］従って、ＬＴＥに基づいた低コストマシンタイプ通信（ＭＴＣ）ＵＥに関する研究がＬＴＥ  Ｒｅｌｅａｓｅ１１において行われた。特に、最大帯域幅の短縮、単一受信無線周波数（ＲＦ）チェーン、ピークレートの低下、送信電力の低減、及び半二重動作が研究中であった。
【００６０】
［００７１］低コストデバイスに関する意図されるデータレートは、１００ｋｂｐｓ未満であることができるため、コストを削減するために、低コストデバイスを狭帯域のみで動作させることが可能である。従って、２つの動作シナリオが生じることができる。
【００６１】
［００７２］第１の、より単純な配備によると、狭帯域幅、例えば、１．２５ＭＨｚは、ＭＴＣ動作をサポートするために留保することができる。該動作に関しては最小限の〜標準外の変更が必要になることがある。
【００６２】
［００７３］他のシナリオによると、低コストＵＥは、大きな帯域幅で動作することができる。これらの低コストＵＥは、正規のＵＥと共存することができる。このシナリオによると、低コストＵＥは、非低コストＵＥと同じ大きい帯域幅、例えば、最大２０ＭＨｚ、で動作することができる。これは、規格に対してはほとんど又はまったく影響がないが、低コストＵＥに関するコストを削減すること及びバッテリ電力消費量を低減させることができない。代替として、このシナリオの場合は、低コストＵＥは、より小さい帯域幅で動作することができる。
【００６３】
［００７４］“カテゴリ１  ＵＥ”と比較して２０ｄＢ向上させるという追加のカバレッジ要求がＭＴＣデバイスに関する目標であることが一般的合意事項である。大きな送信時間間隔（ＴＴＩ）バンドリングサイズ（例えば、約１００サブフレーム）が、ＤＬ及びＵＬのカバレッジ拡張に対処することができる。さらに、ＰＤＣＣＨ、ＰＢＣＨ、及びシステム情報ブロック（ＳＩＢ）も、ＭＴＣに関して希望されるカバレッジを達成させるためにバンドリングすることができる。これらのチャネルの新しい送信は、ＭＴＣ_ＰＢＣＨ、ＭＴＣ_ＳＩＢ、等で表すことができる。変調及びコーディング方式（ＭＣＳ）及びＭＴＣ_ＳＩＢの位置は、シグナリングすること又は規格によって再定義することができる。
【００６４】
［００７５］Ｒｅｌｅａｓｅ１０におけるマルチメディアブロードキャスト単一周波数ネットワーク（ＭＢＳＦＮ）サブフレームでは、２つのタイプの送信が許容されている。マルチメディアブロードキャスト及びマルチキャストサービス（ＭＢＭＳ）の場合は、ＭＢＳＦＮサブフレームの全部又は部分組を、ＰＭＣＨ復号のためのより高位の層によって決定することができる。その他のＭＢＳＦＮサブフレームに関しては、ダウンリンク送信モード９及び１０に基づくユニキャストをサポートすることができる。
【００６５】
［００７６］ＰＭＣＨは、ＭＢＳＦＮ動作を用いてＭＢＭＳのためのより高位のプロトコル層から発生したデータ（制御及びトラフィックの両方）を搬送するダウンリンク物理層チャネルである。従って、ＰＭＣＨは、あらゆる制御又はトラフィックＭＢＭＳデータに関して復号しなければならない。上記のように、ＭＢＳＦＮエリアは、複数のＰＭＣＨを含むことができる。各ＰＭＣＨは、論理制御チャネルにマッピングすることができる。ＰＭＣＨは、帯域幅全体を占めるため、ＰＳＤＣＨ及びＰＭＣＨは、同じサブフレームではサポートされない。
【００６６】
［００７７］ＵＥにおけるＭＢＭＳに関するＭＢＳＦＮサブフレームの決定は、ｅＮＢにおいて完全に知ることはできない。複数の異なるＵＥが異なるＭＢＭＳサービスに加入することができる。その結果、ｅＮＢ及びＵＥは、ＭＢＳＦＮサブフレームがＰＭＣＨに関するものであるかどうかに関して不整合になることがある。
【００６７】
［００７８］データ領域ＩＣは、複雑になることがある。例えば、データ領域ＩＣは、幾つかの変形を含むことができ、例えば、ユニキャスト対ブロードキャスト、無線ネットワーク一時的識別子（ＲＮＴＩ）従属性、送信方式（空間周波数ブロックコード（ＳＧＢＣ）、ランク１乃至ランク８）、基準信号（ＲＳ）従属性、セルＩＤ、レートマッチング、変調順序、電力レベル、リソース割り当てタイプ、及び／又は制御対ＰＤＳＣＨ（ｅＰＤＣＣＨ対ＰＤＳＣＨ、セルを横断する個別の制御領域のサイズ）を含む。
【００６８】
［００７９］ポジショニングＲＳ（ＰＲＳ）は、各セル用に構成されるＰＲＳサブフレームで送信することができる。通常のサブフレーム及びＭＢＳＦＮサブフレームの両方がＰＲＳ用に構成されているときには、ＰＲＳ用に構成されたＭＢＳＦＮサブフレーム内のＯＦＤＭシンボルは、サブフレーム０の場合と同じサイクリックプリフィックスに従うべきである。ＭＢＳＦＮサブフレームのみがＰＲＳ用に構成されているときには、ＰＲＳ用に構成されたＯＦＤＭシンボルは、拡張されたＣＰを使用すべきである。
【００６９】
［００８０］ＰＲＳは、ＲＳポート６で送信される。周期性Ｔ_ＰＲＳ及びセル専用サブフレームオフセットＤｅｌｔａ_ＰＲＳは、各セル専用である。それらは、ＰＲＳ構成インデックスＩ_ＰＲＳによって提供することができる。ＰＲＳのシーケンスは、セルＩＤ、ＣＰ長、スロット、及びＯＦＤＭシンボルインデックスの関数である。ＰＲＳのリソースマッピングは、帯域幅、より高位の層によって構成されたＮ_ＲＢ＾ＰＲＳ、及びセル専用シフトＶ_ｓｈｉｆｔ＝ＰＣＩ  ｍｏｄ６の関数である。
【００７０】
多元サービスに関するネットワーク補助ＩＣ／ＩＳ
［００８１］近隣セルからの多元サービスを、ＩＣ及び／又はＩＳを含む干渉管理のために考慮することが必要な場合がある。それらの多元サービスは、例えば、ユニキャスト送信、ブロードキャスト送信、マルチキャスト送信、ＭＴＣ送信、ＰＲＳ送信、及び／又は異なる波形を含むことができる。本開示の態様は、近隣セルからの異なるサービスの干渉管理が対象である。
【００７１】
［００８２］図１０は、本開示の態様による無線通信システムのコンポーネント例１０００を示す。ここにおいてより詳細に説明されることになるように、ＵＥは、１つ以上の近隣セル内で干渉する可能性がある信号を送信するために使用される１つ以上のタイプの通信サービスに関するシステムパラメータに関する情報を決定することができる。ＵＥは、干渉する可能性がある信号によって引き起こされた干渉を除去又は抑圧するために決定された情報を用いて干渉管理を行うことができる。
【００７２】
［００８３］図１０において例示されるように、ＵＥ１００６は、図１のＵＥ１０２であることができ及び図６のＵＥ６５０の１つ以上のモジュールを含むことができ、干渉する可能性がある信号によって引き起こされた干渉を除去及び／又は抑圧するための干渉管理を行うことができる。図１０において、干渉する可能性がある信号は、１つ以上の近隣セル（例えば、近隣基地局１００２）とＵＥ１００６との間の破線によって示されている。
【００７３】
［００８４］１つ以上の近隣セルからの送信は、１つ以上のタイプの通信サービスを含むことができる。これらの通信サービスは、ユニキャスト送信、ブロードキャスト送信、マルチキャスト送信、ＭＴＣ送信、及びＰＲＳ送信のうちの少なくとも２つを含むことができる。ここにおいてより詳細に説明されることになるように、ＵＥは、通信サービスのうちの少なくとも２つに関して異なる形で干渉管理を行うことができる。
【００７４】
［００８５］一態様により、ＵＥは、１つ以上の近隣セルから干渉信号を検出することができ、及び、検出された干渉信号に基づいてサービスを提供するセル、例えば、サービスを提供する基地局１００４、からの送信を処理することができる。
【００７５】
［００８６］サービスを提供する基地局１００４（ｅＮＢ）は、１つ以上の近隣セルに関連するＭＴＣサービスを１つ以上のＵＥにシグナリングすることができる。例えば、ｅＮＢは、ＭＴＣ動作が１つ以上の近隣セルによってサポートされるかどうか、１つ以上の近隣セルのＭＴＣ動作の帯域幅、及び／又は１つ以上の近隣セルに関する狭帯域動作の搬送波の中心に関する中心周波数又は周波数シフトをシグナリングすることができる。ｅＮＢは、１つ以上の近隣セルによるＭＴＣ送信のために使用されるサブフレームをシグナリングすることができる。このシグナリングは、１つ以上の近隣セルのＭＴＣ送信の周期性を含むことができる。ＭＴＣ送信は、低レートデバイスと通信するためのＭＴＣサービス及び／又は拡大されたカバレッジと通信するためのＭＴＣサービスを含むことができる。
【００７６】
［００８７］ｅＮＢは、１つ以上の近隣セルのＤＬ  ＭＴＣ送信でのバンドリングレベルを１つ以上のＵＥにシグナリングすることができる。例えば、バンドリングレベルは、ＭＴＣ_ＰＢＣＨに関するバンドリングサイズ、ＭＴＣ_ＳＩＢに関するバンドリングサイズ、ＰＤＳＣＨに関するバンドリングサイズ、ＰＤＣＣＨ／ｅＰＤＣＣＨに関するバンドリングサイズ、及び／又はＰＨＩＣＨ／物理フォーマットインジケータチャネル（ＰＦＩＣＨ）に関するバンドリングサイズを含むことができる。
【００７７】
［００８８］一態様により、ｅＮＢは、ＩＣ及び／又はＩＳ又は何らかの形態のＩＣ／ＩＳをＵＥによってディスエーブルにすべきであるサブフレームをシグナリングすることができる。これは、ＭＴＣサブフレーム又はＰＤＳＣＨ、ＰＤＣＣＨ、又はｅＰＤＣＣＨを実現することができないその他のサブフレームを含むことができる。
【００７８】
［００８９］一態様により、ＵＥは、１つ以上の近隣セルからの送信を盲目的に検出することができる。例えば、１つの仕様は、例えば、ＭＴＣ_ＰＢＣＨ、ＭＴＣ_ＳＩＢ、等を含む幾つかのパラメータを予め定義することができる。従って、ＭＴＣ送信は、その他の信号送信を照合して盲目的に検出することができる。例えば、幾つかの態様により、帯域幅、変調、コーディングレート、及び／又は無線ネットワーク一時的識別子（ＲＮＴＩ）が予め定義されている場合は、ＵＥは、１つ以上の近隣セルからのＭＴＣ送信を検出するためのブラインド復号を行うためにこの情報を使用することができる。ＵＥは、検出された干渉送信に基づいてサービスを提供する基地局からの送信を処理することができる。
【００７９】
［００９０］ＭＢＳＦＣ専用の取り扱いに関して、ｅＮＢは、ＩＣ及び／又はＩＳに関する近隣セルのＭＢＳＦＮサブフレーム構成をシグナリングすることができる。シグナリングに依存して、ＵＥは、異なる干渉管理方式を実行することができる。ＵＥは、ＭＢＳＦＮサブフレームに関する復調基準信号（ＤＭＲＳ）に基づくユニキャスト送信に対するＭＢＭＳ関連の構成のシグナリングを受信することができる。例えば、ＵＥは、近隣セルのＭＢＳＦＮ  ＩＤセットを示すシグナリングを受信することができる。
【００８０】
［００９１］幾つかの態様により、ＰＲＳは、ＩＣ及び／又はＩＳのために使用することができる。例えば、ｅＮＢは、１つ以上の近隣セルのＰＲＳ構成をシグナリングすることができる。ＰＲＳ構成は、ＰＲＳ構成インデックス（Ｉ_ＰＲＳ）及び／又はＰＲＳ帯域幅（Ｎ_ＲＢ_ＰＲＳ）を含むことができる。ｅＮＢは、ＣＰ決定のためにＰＲＳ構成をＭＢＳＦＮサブフレーム構成とともにシグナリングすることができる。代替として、ＵＥは、近隣セルのＰＲＳを盲目的に復号することができ、及び、検出された干渉送信に基づいてサービスを提供する基地局からの送信を処理することができる。
【００８１】
［００９２］概して、本開示の態様により、ｅＮＢは、ＵＥによる高度な受信機技法（例えば、ＩＣ及び／又はＩＳ）から除外されるべき情報をシグナリングすることができる。ｅＮＢは、ＵＥがＩＣ又はブラインド復号を適用すべきでない副帯域をシグナリングすることができる。ｅＮＢは、ＵＥがＩＣ又はブラインド復号を適用すべきでないサブフレーム部分組をシグナリングすることができる。副帯域又はサブフレームの該シグナリングは、ブロードキャスト、マルチキャスト、ＲＲＣ、及び／又は動的にシグナリングすることができる。
【００８２】
［００９３］ネットワーク補助ＩＣ及び／又はＩＳは、ｅＮＢ間での（例えば、近隣基地局１００２とサービス提供基地局１００４との間での）情報のやり取り１００８を含むことができる。例えば、ｅＮＢは、ＭＴＣ構成及び／又はＰＲＳ構成のシグナリングに関連する情報をやり取りすることができる。さらに加えて又は代替として、ｅＮＢは、ＭＢＳＦＮ構成及び／又はＴＤＤサブフレーム構成をシグナリングすることができる。ｅＮＢ間でのシグナリングは、Ｘ２インタフェースに基づくことができる。該シグナリングに対処するためにＸ２インタフェースに関して新しいフィールドを定義することができる。代替として、情報のやり取りは、新しいインタフェースに基づくことができる。
【００８３】
［００９４］幾つかの態様により、ＵＥは、ＩＣ能力を１つ以上の基地局にシグナリングすることができる。ＩＣ能力は、ＵＥによって検出された波形（例えば、信号）、ＵＥが除去することができる波形、及び／又はＵＥが干渉する可能性がある波形を盲目的に検出するために使用することができる仮説を含むことができる。ネットワークは、ＵＥのＩＣ能力に少なくとも部分的に基づいてＵＥをスケジューリングすることができる。
【００８４】
［００９５］例えば、ネットワークは、適合不能な干渉を有する波形に関してＵＥをスケジューリングすることができる。この例により、ネットワークシグナリングは、必要でなく、ＵＥは、波形を分類することができる。ネットワークは、ＵＥにおいて電力を節約するために新しい波形をシグナリングすることができる。新しい波形をＵＥにシグナリングすることは、ＵＥによる信号の誤分類を回避するのに役立つことができる。
【００８５】
［００９６］他の例により、ネットワークは、適合可能な干渉を有する波形に関してＵＥをスケジューリングすることができる。繰り返すと、ネットワークシグナリングは必要でなく、ＵＥは、波形を分類することができる。ネットワークは、ＵＥが波形を検出するのを補助するために仮説をシグナリングすることができる。
【００８６】
［００９７］図１１は、ＵＥ、例えば、図１０のＵＥ１００６、によって行われる動作例１１００を示す。ＵＥ１００６は、図１のＵＥ１０２であることができ、図６のＵＥ６５０の１つ以上のモジュールを含むことができる。例えば、コントローラ／プロセッサ６５９及び／又はＲｘ／Ｔｘ６５４は、ここにおいて説明される態様を実行することができる。
【００８７】
［００９８］１１０２において、ＵＥは、１つ以上の近隣セルにおいて干渉する可能性がある信号を送信するために使用される１つ以上のタイプの通信サービスに関するシステムパラメータに関する情報を決定することができ、決定される情報のタイプは、通信サービスのタイプに依存する。１１０４において、ＵＥは、干渉する可能性がある信号によって引き起こされた干渉を除去又は抑圧するために決定された情報を用いて干渉管理を行うことができる。
【００８８】
［００９９］上述されるように、干渉管理は、ＩＣ及び／又はＩＳを含むことができる。幾つかの態様により、ＵＥは、決定された情報に基づいて１つ以上の近隣セルからの干渉信号を検出することによって干渉管理を行うことができ、ＵＥは、検出された干渉信号に基づいてサービスを提供する基地局からの送信を処理することができる。
【００８９】
［０１００］ここにおいて説明されるように、１つ以上のタイプの通信サービスは、ユニキャスト送信、ブロードキャスト送信、マルチキャスト送信、マシンタイプ通信（ＭＴＣ）送信、及びポジショニング基準信号（ＰＲＳ）送信のうちの少なくとも２つを含むことができる。ＵＥは、それらの通信サービスのうちの少なくとも２つに関して異なる形で干渉管理を行うことができる。
【００９０】
［０１０１］幾つかの態様により、１つ以上のタイプの通信サービスのうちの１つは、低レートデバイスと通信するためのマシンタイプ通信（ＭＴＣ）サービス又は拡大されたカバレッジのデバイスと通信するためのＭＴＣサービスを含むことができる。
【００９１】
［０１０２］システムパラメータに関する情報を決定することは、ＭＴＣ動作が１つ以上の近隣セルによってサポートされるかどうかを決定すること、ＭＴＣ動作のために使用される周波数リソースの場所を決定すること、ＭＴＣ送信のために使用されるサブフレームを決定すること、ＭＴＣ送信の周期性を決定すること、又は１つ以上のタイプのＭＴＣ送信のためのバンドリングレベルを決定することのうちの少なくとも１つを含むことができる。
【００９２】
［０１０３］１つ以上のタイプの通信サービスのうちの１つが例えばＭＴＣを含むときには、ＵＥは、干渉管理がＵＥによって行われるべきでない１つ以上のサブフレームの表示を受信することができる。
【００９３】
［０１０４］１つ以上のタイプの通信サービスのうちの１つが例えばＭＴＣを含むときには、ＵＥは、干渉するＭＴＣ送信のブラインド検出を行い、検出された干渉送信に基づいてサービスを提供する基地局からの送信を処理することによって干渉管理を行うことができる。
【００９４】
［０１０５］上記のように、１つ以上のタイプの通信サービスのうちの１つは、マルチメディアブロードキャスト単一周波数ネットワーク（ＭＢＳＦＮ）サービスを含むことができる。１つ以上のタイプの通信サービスが例えばＭＢＳＦＮサービスを含むときには、ＵＥは、１つ以上の近隣セルに関するＭＢＳＦＮサブフレーム構成のシグナリングを受信するか又はＭＢＳＦＮサブフレームに関する復調基準信号（ＤＭＲＳ）に基づくユニキャスト送信に対するマルチメディアブロードキャスト及びマルチキャストサービス（ＭＢＭＳ）関連の構成のシグナリングを受信することによってシステムパラメータに関する情報を決定することができる。
【００９５】
［０１０６］上記のように、１つ以上のタイプの通信サービスのうちの１つは、ポジショニング基準信号（ＰＲＳ）を使用したポジショニングサービスを含むことができる。１つ以上のタイプの通信サービスがＰＲＳを含むときには、ＵＥは、１つ以上の近隣セルに関するＰＲＳ構成のシグナリングを受信することによってシステムパラメータに関する情報を決定することができる。幾つかの態様により、ＵＥは、ＰＲＳ送信のブラインド検出を行い、検出された干渉送信に基づいてサービスを提供する基地局からの送信を処理することによって干渉管理を行うことができる。
【００９６】
［０１０７］幾つかの態様により、システムパラメータに関する情報を決定することは、干渉管理が適用されるべきでない副帯域又はサブフレーム部分組のうちの少なくとも１つを示すシグナリングを受信することを含むことができる。そのシグナリングは、ブロードキャストシグナリング、マルチキャストシグナリング、無線リソース制御（ＲＲＣ）シグナリング、又は動的シグナリングのうちの少なくとも１つを含むことができる。
【００９７】
［０１０８］ＵＥは、干渉除去能力をさらにシグナリングすることができ、検出された信号、ＵＥによって除去された信号、又は、既知の信号を検出するためにＵＥによって使用される１つ以上の仮説のうちの少なくとも１つをシグナリングすることを含むことができる。
【００９８】
［０１０９］図１２は、例えば、基地局、例えば、サービスを提供する基地局１００４、によって行われる動作例１２００を示す。基地局１００４は、ｅＮＢ１０６又は１０８であることができ、それは、ｅＮＢ６１０の１つ以上のモジュールを含むことができる。例えば、コントローラ／プロセッサ６７５及び／又はＴｘ／Ｒｘ６１８は、ここにおいて説明される態様を実行することができる。
【００９９】
［０１１０］１２０２において、基地局は、１つ以上の近隣セルにおいて干渉する可能性がある信号を送信するために使用される１つ以上のタイプの通信サービスに関するシステムパラメータに関する情報を決定することができ、決定される情報のタイプは、通信サービスのタイプに依存する。１２０４において、基地局は、干渉する可能性がある干渉によって引き起こされた干渉を除去又は抑圧するために決定された情報を用いて干渉管理を行うのを補助するために１つ以上のユーザ装置（ＵＥ）にシグナリングを送信することができる。
【０１００】
［０１１１］ここにおいて説明されるように、１つ以上のタイプの通信サービスのうちの１つが低レートデバイスと通信するためのマシンタイプ通信（ＭＴＣ）サービス又は拡大されたカバレッジのデバイスと通信するためのＭＴＣサービスを含むときには、ＢＳは、ＭＴＣ動作が１つ以上の近隣セルによってサポートされているかどうか、ＭＴＣ動作の帯域幅、ＭＴＣ動作のために使用される周波数リソースの場所、ＭＴＣ送信のために使用されるサブフレーム、ＭＴＣ送信の周期性、又は１つ以上のタイプのＭＴＣ送信のためのバンドリングレベルのうちの少なくとも１つを示すシグナリングを送信することができる。ＢＳは、干渉管理が行われるべきでない１つ以上のサブフレームの表示を送信することもできる。
【０１０１】
［０１１２］幾つかの態様により、１つ以上のタイプの通信サービスのうちの１つがＭＢＳＦＮサービスを含むときには、ＢＳは、１つ以上の近隣セルに関するＭＢＳＦＮサブフレーム構成のシグナリングを送信するか又はＭＢＳＦＮサブフレームに関する復調基準信号（ＤＭＲＳ）に基づくユニキャスト送信に対するマルチメディアブロードキャスト及びマルチキャストサービス（ＭＢＭＳ）関連の構成のシグナリングを送信することができる。
【０１０２】
［０１１３］幾つかの態様により、１つ以上のタイプの通信サービスのうちの１つがポジショニング基準信号（ＰＲＳ）を使用したポジショニングサービスを含むときには、ＢＳは、干渉管理が適用されるべきでない副帯域又はサブフレーム部分組のうちの少なくとも１つを示すシグナリングを送信することができる。そのシグナリングは、ブロードキャストシグナリング、マルチキャストシグナリング、ＲＲＣシグナリング、又は動的シグナリングのうちの少なくとも１つを含むことができる。
【０１０３】
［０１１４］幾つかの態様により、ＢＳは、１つ以上の近隣セルとシグナリングをやり取りすることができる。シグナリングは、ＭＴＣ構成、ＰＲＳ構成、ＭＢＳＦＮ構成、又は時分割複信（ＴＤＤ）サブフレーム構成のうちの少なくとも１つを示す情報を含むことができる。シグナリングは、Ｘ２インタフェースに基づくことができる。
【０１０４】
［０１１５］幾つかの態様により、ＢＳは、干渉除去能力をＵＥから受信することによって１つ以上の近隣セルにおいて干渉する可能性がある信号を送信するために使用される１つ以上のタイプの通信サービスに関するシステムパラメータに関する情報を決定することができ、受信された干渉除去能力は、ＵＥによって検出された信号、ＵＥによって除去された信号、又は、既知の信号を検出するためにＵＥによって使用される１つ以上の仮説のうちの少なくとも１つを含むことができる。
【０１０５】
［０１１６］以上のように、本開示の態様は、多元サービスからの干渉する可能性がある信号によって引き起こされた干渉を除去又は抑圧するための干渉除去と干渉抑圧とを含む干渉管理の課題に対処する。
【０１０６】
［０１１７］開示されるプロセスにおけるステップの特定の順序又は階層は、典型的なプロセスの一例であることが理解される。設計上の選好に基づき、プロセスにおけるステップの特定の順序又は階層は、再編することができることが理解される。さらに、幾つかのステップは、結合すること又は省くことができる。添付された方法請求項は、様々なステップの要素を見本の順序で提示するものであり、特記がないかぎり提示された特定の順序又は階層に限定されることは意味されない。
【０１０７】
［０１１８］さらに、表現“又は”は、排他的な“又は”ではなく包含的な“又は”を意味することが意図される。すなわち、別の特記がないかぎり、又は文脈から明らかでないかぎり、表現“ＸはＡ又はＢを採用する”は、自然の包含的置換のうちのいずれかを意味することが意図される。すなわち、表現“ＸはＡ又はＢを採用する”は、次の事例のうちのいずれかによって満たされる。すなわち、ＸはＡを採用する、ＸはＢを採用する、又はＸは、ＡとＢの両方を採用する。さらに、本出願及び添付される請求項において使用される場合の冠詞“ａ”及び“ａｎ”は、特記がないかぎり又は単数形であることが文脈上明確でないかぎり、概して“１つ以上”を意味すると解釈されるべきである。項目のリストのうちの“少なくとも１つの”を意味する表現は、それらの項目のあらゆる組み合わせを意味し、単一の項目を含む。一例として、“ａ、ｂ、又はｃのうちの少なくとも１つ”は、ａ、ｂ、ｃ、ａとｂ、ａとｃ、ｂとｃ、及びａ、ｂ、及びｃを網羅することが意図される。
【０１０８】
［０１１９］前の説明は、当業者がここにおいて説明される様々な態様を実践するのを可能にすることを目的として提供される。これらの態様に対する様々な変更は、当業者にとって容易に明確になるであろう、及びここにおいて定められる一般原理は、その他の態様に対して適用可能である。このように、請求項は、ここにおいて示される態様に限定されることは意図されず、請求項の文言に一致する最大限の適用範囲が認められるべきであり、単数形の要素への言及は、その旨特記されないかぎり“１つ及び１つのみ”を意味することは意図されず、むしろ“１つ以上”を意味することが意図される。別の特記がない限り、用語“幾つかの”は、１つ以上を意味する。当業者にとって既知であるか又は今後に知られることになる、本開示全体を通じて説明される様々な態様の要素のすべての構造上及び機能上の同等物は、引用によって明示でここにおいて組み入れられており、請求項によって包含されることが意図される。さらに、ここにおいて開示される何物も、該開示が請求項において明示されるかどうかにかかわらず公衆に開放されることは意図されない。いずれの請求項要素も、その要素が句“のための手段”を用いて明示されない限り手段プラス機能（ｍｅａｎｓ−ｐｌｕｓ−ｆｕｎｃｔｉｏｎ）であるとは解釈されるべきでない。
以下に、出願当初の特許請求の範囲に記載された発明を付記する。
［Ｃ１］
ユーザ装置（ＵＥ）による無線通信のための方法であって、
１つ以上の近隣セルにおいて干渉する可能性がある信号を送信するために使用される１つ以上のタイプの通信サービスに関するシステムパラメータに関する情報を決定することであって、前記決定される情報のタイプは、通信サービスの前記タイプに依存することと、
前記干渉する可能性がある信号によって引き起こされた干渉を除去又は抑圧するために前記決定された情報を用いて干渉管理を行うことと、を備える、方法。
［Ｃ２］
前記決定された情報を用いて干渉管理を行うことは、
前記決定された情報に基づいて前記１つ以上の近隣セルからの干渉信号を検出することと、
前記検出された干渉信号に基づいてサービスを提供する基地局からの送信を処理することと、を備えるＣ１に記載の方法。
［Ｃ３］
前記１つ以上のタイプの通信サービスは、ユニキャスト送信、ブロードキャスト送信、マルチキャスト送信、マシンタイプ通信（ＭＴＣ）送信、及びポジショニング基準信号（ＰＲＳ）送信のうちの少なくとも２つを備え、
干渉管理は、前記通信サービスのうちの少なくとも２つに関して異なった形で行われるＣ１に記載の方法。
［Ｃ４］
前記１つ以上のタイプの通信サービスは、低レートデバイスと通信するためのマシンタイプ通信（ＭＴＣ）サービス及び拡大されたカバレッジのデバイスと通信するためのＭＴＣサービスのうちの少なくとも１つを備えるＣ１に記載の方法。
［Ｃ５］
前記決定することは、
ＭＴＣ動作が１つ以上の近隣セルによってサポートされるかどうか、
ＭＴＣ動作の帯域幅、
ＭＴＣ動作のために使用される周波数リソースの場所、
ＭＴＣ送信のために使用されるサブフレーム、
ＭＴＣ送信の周期性、又は
１つ以上のタイプのＭＴＣ送信に関するバンドリングレベル、のうちの少なくとも１つを示すシグナリングを受信することを備えるＣ４に記載の方法。
［Ｃ６］
干渉管理が行われるべきでない１つ以上のサブフレームの表示を受信することをさらに備えるＣ４に記載の方法。
［Ｃ７］
干渉管理を行うことは、
干渉するＭＴＣ送信のブラインド検出を行うことと、
前記検出された干渉送信に基づいて前記サービスを提供する基地局からの送信を処理することと、を備えるＣ４に記載の方法。
［Ｃ８］
前記１つ以上のタイプの通信サービスは、マルチメディアブロードキャスト単一周波数ネットワーク（ＭＢＳＦＮ）サービスを備えるＣ１に記載の方法。
［Ｃ９］
前記決定することは、
１つ以上の近隣セルに関するＭＢＳＦＮサブフレーム構成のシグナリングを受信すること、又は
ＭＢＳＦＮサブフレームに関する復調基準信号（ＤＭＲＳ）に基づくユニキャスト送信に対するマルチメディアブロードキャスト及びマルチキャストサービス（ＭＢＭＳ）関連の構成のシグナリングを受信すること、のうちの少なくとも１つを備えるＣ８に記載の方法。
［Ｃ１０］
前記１つ以上のタイプの通信サービスは、ポジショニング基準信号（ＰＲＳ）を用いたポジショニングサービスを備えるＣ１に記載の方法。
［Ｃ１１］
前記決定することは、
１つ以上の近隣セルに関するＰＲＳ構成のシグナリングを受信することを備えるＣ１０に記載の方法。
［Ｃ１２］
干渉管理を行うことは、
ＰＲＳ送信のブラインド検出を行うことと、
前記検出された干渉送信に基づいてサービスを提供する基地局からの送信を処理することと、を備えるＣ１０に記載の方法。
［Ｃ１３］
前記決定することは、
干渉管理が適用されるべきでない副帯域又はサブフレーム部分組のうちの少なくとも１つを示すシグナリングを受信することを備えるＣ１に記載の方法。
［Ｃ１４］
前記シグナリングすることは、ブロードキャストシグナリング、マルチキャストシグナリング、無線リソース制御（ＲＲＣ）シグナリング、又は動的シグナリングのうちの少なくとも１つを備えるＣ１３に記載の方法。
［Ｃ１５］
検出された信号、前記ＵＥによって除去された信号、又は既知の信号を検出するために前記ＵＥによって使用される１つ以上の仮説のうちの少なくとも１つを含む前記ＵＥの干渉除去能力をシグナリングすることをさらに備えるＣ１に記載の方法。
［Ｃ１６］
基地局（ＢＳ）による無線通信のための方法であって、
１つ以上の近隣セルにおいて干渉する可能性がある信号を送信するために使用される１つ以上のタイプの通信サービスに関するシステムパラメータに関する情報を決定することであって、前記決定される情報のタイプは、通信サービスの前記タイプに依存することと、
前記干渉する可能性がある信号によって引き起こされた干渉を除去又は抑圧するために前記決定された情報を用いて干渉管理を行うのを補助するために１つ以上のユーザ装置（ＵＥ）にシグナリングを送信することと、を備える、方法。
［Ｃ１７］
前記１つ以上のタイプの通信サービスは、ユニキャスト送信、ブロードキャスト送信、マルチキャスト送信、マシンタイプ通信（ＭＴＣ）送信、及びポジショニング基準信号（ＰＲＳ）送信のうちの少なくとも２つを備えるＣ１６に記載の方法。
［Ｃ１８］
前記１つ以上のタイプの通信サービスは、低レートデバイスと通信するためのマシンタイプ通信（ＭＴＣ）サービス及び拡大されたカバレッジのデバイスと通信するためのＭＴＣサービスのうちの少なくとも１つを備えるＣ１６に記載の方法。
［Ｃ１９］
前記送信することは、
ＭＴＣ動作が１つ以上の近隣セルによってサポートされるかどうか、
ＭＴＣ動作の帯域幅、
ＭＴＣ動作のために使用される周波数リソースの場所、
ＭＴＣ送信のために使用されるサブフレーム、
ＭＴＣ送信の周期性、又は
１つ以上のタイプのＭＴＣ送信に関するバンドリングレベル、のうちの少なくとも１つを示すシグナリングを送信することを備えるＣ１８に記載の方法。
［Ｃ２０］
干渉管理が行われるべきでない１つ以上のサブフレームの表示を送信することをさらに備えるＣ１８に記載の方法。
［Ｃ２１］
前記１つ以上のタイプの通信サービスは、マルチメディアブロードキャスト単一周波数ネットワーク（ＭＢＳＦＮ）サービスを備えるＣ１６に記載の方法。
［Ｃ２２］
前記送信することは、
１つ以上の近隣セルに関するＭＢＳＦＮサブフレーム構成のシグナリングを送信すること、又は
ＭＢＳＦＮサブフレームに関する復調基準信号（ＤＭＲＳ）に基づくユニキャスト送信に対するマルチメディアブロードキャスト及びマルチキャストサービス（ＭＢＭＳ）関連の構成のシグナリングを送信すること、のうちの少なくとも１つを備えるＣ２１に記載の方法。
［Ｃ２３］
前記１つ以上のタイプの通信サービスは、ポジショニング基準信号（ＰＲＳ）を用いたポジショニングサービスを備えるＣ１６に記載の方法。
［Ｃ２４］
前記送信することは、
干渉管理が適用されるべきでない副帯域又はサブフレーム部分組のうちの少なくとも１つを示すシグナリングを送信することを備えるＣ１６に記載の方法。
［Ｃ２５］
前記シグナリングすることは、ブロードキャストシグナリング、マルチキャストシグナリング、無線リソース制御（ＲＲＣ）シグナリング、又は動的シグナリングのうちの少なくとも１つを備えるＣ２４に記載の方法。
［Ｃ２６］
ＭＴＣ構成、ポジショニング基準信号（ＰＲＳ）構成、マルチメディアブロードキャスト単一周波数ネットワーク（ＭＢＳＦＮ）構成、又は時分割複信（ＴＤＤ）サブフレーム構成のうちの少なくとも１つを含むシグナリングを前記１つ以上の近隣セルとやり取りすることをさらに備えるＣ１６に記載の方法。
［Ｃ２７］
１つ以上の近隣セルにおいて干渉する可能性がある信号を送信するために使用される１つ以上のタイプの通信サービスに関するシステムパラメータに関する情報を決定することは、
前記１つ以上のＵＥのうちの１つのＵＥから干渉除去能力を受信することを備え、前記干渉除去能力は、前記ＵＥによって検出された信号、前記ＵＥによって除去された信号、又は既知の信号を検出するために前記ＵＥによって使用される１つ以上の仮説のうちの少なくとも１つを含むＣ１６に記載の方法。
［Ｃ２８］
前記受信された干渉除去能力に基づいて前記ＵＥをスケジューリングすることをさらに備えるＣ１７に記載の方法。
［Ｃ２９］
無線通信のための装置であって、
１つ以上の近隣セルにおいて干渉する可能性がある信号を送信するために使用される１つ以上のタイプの通信サービスに関するシステムパラメータに関する情報を決定するための手段であって、前記決定される情報のタイプは、通信サービスの前記タイプに依存する手段と、
前記干渉する可能性がある信号によって引き起こされた干渉を除去又は抑圧するために前記決定された情報を用いて干渉管理を行うための手段と、を備える、装置。
［Ｃ３０］
無線通信のための装置であって、
１つ以上の近隣セルにおいて干渉する可能性がある信号を送信するために使用される１つ以上のタイプの通信サービスに関するシステムパラメータに関する情報を決定するための手段であって、前記決定される情報のタイプは、通信サービスの前記タイプに依存する手段と、
前記干渉する可能性がある信号によって引き起こされた干渉を除去又は抑圧するために前記決定された情報を用いて干渉管理を行うのを補助するために１つ以上のユーザ装置（ＵＥ）にシグナリングを送信するための手段と、を備える、装置。
【図１】
0006444985.tif 000002
【図２】
0006444985.tif 000003
【図３】
0006444985.tif 000004
【図４】
0006444985.tif 000005
【図５】
0006444985.tif 000006
【図６】
0006444985.tif 000007
【図７】
0006444985.tif 000008
【図８】
0006444985.tif 000009
【図９Ａ】
0006444985.tif 000010
【図９Ｂ】
0006444985.tif 000011
【図９Ｃ】
0006444985.tif 000012
【図１０】
0006444985.tif 000013
【図１１】
0006444985.tif 000014
【図１２】
0006444985.tif 000015